(57)【要約】【課題】洋式便器周りの狭いスペースを利用して設置でき且つ荷重や揺動負荷等に対して安定な洋式便所内運動機器を提供する。【解決手段】器具全体が主としてパイプ材にて構成され、器具最上部にぶら下がり用の把持部４を有する。把持部４は、床面設置部３に支持されて床面に対し略垂直に立設されている左右一対の支柱部３Ｌ、３Ｒの上端に掛け渡して設けられている。床面設置部２は、既設の洋式便器５の床面据付部の少なくとも前縁部および側縁部を包囲するべく略Ｕ字状に屈曲した第１屈曲部７と、第１屈曲部７の後方側両端部から外側に且つ前方に略Ｕ字状に折り返すようにして延設された第２屈曲部８Ｌ、８Ｒと、第２屈曲部８Ｌ、８Ｒの前方側端部から略鉛直方向上方に延設された起立部９Ｌ、９Ｒとを備え、起立部９Ｌ、９Ｒに支柱部３Ｌ、３Ｒが強固に連結されている。【選択図】      図１
2005034332.tif 000002
【特許請求の範囲】
【請求項１】
器具全体が主としてパイプ材にて構成され、その器具の床面設置部は、既設の洋式便器の床面据付部の少なくとも前縁部および側縁部を包囲するようにして設置可能に略Ｕ字状に構成されていることを特徴とする洋式便所内運動器具。
【請求項２】
人がぶら下がることができるように器具上部に設けられた把持部と、
前記把持部を支える左右一対の支柱部とを備え、
前記床面設置部は、
既設の洋式便器の床面据付部の少なくとも前縁部および側縁部を包囲するべく略Ｕ字状に屈曲した第１屈曲部と、
前記第１屈曲部の洋式便器後方側の左右両端部から外側前方に略Ｕ字状に折り返すようにして延設され且つ器具前後方向における長さＬ１が前記第１屈曲部の器具前後方向における長さＬ２より短く選定された第２屈曲部と、
前記第２屈曲部の延設端から立ち上がる起立部とを有し、
前記支柱部は、その下端部が前記起立部に支持されて床面に対し略垂直に立設されていることを特徴とする請求項１記載の洋式便所内運動器具。
【請求項３】
人がぶら下がることができるように器具上部に設けられた把持部と、
前記把持部を支える左右一対の支柱部とを備え、
前記床面設置部は、
既設の洋式便器の床面据付部の少なくとも前縁部および側縁部を包囲するべく略Ｕ字状に屈曲し且つ後方に向かって幅が拡大している第１屈曲部と、
前記第１屈曲部の洋式便器後方側の左右両端から内側前方且つ斜め上方に折り返すようにして延設された前傾部と、
前記前傾部の上端部から立ち上がる起立部とを有し、
前記支柱部は、その下端部が前記起立部に支持されており、
前記支柱部の垂直中心軸線の床面との交点Ｐと前傾部の基点Ｑとの機具前後方向における長さＬ３は前記第１屈曲部の機具前後方向における長さＬ４より短く選定されていることを特徴とする請求項１記載の洋式便所内運動器具。
【発明の詳細な説明】
【０００１】
【発明の属する技術分野】
本発明は室内運動器具に関し、特に、洋式便所内に設置される運動器具に関する。
【０００２】
【従来の技術】
従来から体を鍛える目的や美容、健康促進の目的で室内に設置される運動器具はあった。これらは自宅において気楽に健康促進を図るためのものであり、その代表例として、ぶら下がり健康器具が広く普及している（特許文献１、２参照）。
【０００３】
また、ぶら下がり健康器具と同種の構造を有する器具として、洋式便所の便器の周囲に移動可能に設置して使用される手すりも知られている。この手すりは、洋式便器の床面据付部を挟んで左右に平行に設置される棒状のベース杆にそれぞれ支柱を立設し、それら左右の支柱に手すり部材を設けてなる（特許文献３参照）。
【０００４】
【特許文献１】
実開昭５６−１６６０５５号公報
【特許文献２】
登録実用新案第３０１１６９１号公報
【特許文献３】
特開平１１−１１３８０５号公報
【０００５】
【発明が解決しようとする課題】
しかし、従来のぶら下がり健康器具は大型であるため、設置場所の確保に困ることが少なくない。ましてや洋式便所等の狭い場所に設置することは困難であった。
【０００６】
また、上述した手すりは、洋式便所に設置できるように小型に形成されてはいるが、ベース杆が左右に分離した構造になっているため、揺動負荷に対して構造上不安定である。また、充分な自立安定性を確保するためには長尺のベース杆を用いる必要があるため、比較的広い洋式便所にしか設置できない。また、左右のベース杆が便器の部分から手前に突き出ているため、洋式便器で用を足す際に足がぶつかるなど邪魔になることがある。
【０００７】
本発明の課題は、このような従来の技術の問題点を解消し、洋式便器周りの狭いスペースを利用して設置でき、且つ、荷重や揺動負荷等に対して安定な構造を有する洋式便所内運動機器を提供することにある。
【０００８】
【課題を解決するための手段】
上記課題を解決するために、請求項１記載の発明の洋式便所内運動器具は、器具全体が主としてパイプ材にて構成され、その器具の床面設置部は、既設の洋式便器の床面据付部の少なくとも前縁部および側縁部を包囲するようにして設置可能に略Ｕ字状に構成されていることを特徴としている。
【０００９】
請求項２記載の発明は、請求項１記載の洋式便所内運動器具において、人がぶら下がることができるように器具上部に設けられた把持部と、前記把持部を支える左右一対の支柱部とを備え、前記床面設置部は、既設の洋式便器の床面据付部の少なくとも前縁部および側縁部を包囲するべく略Ｕ字状に屈曲した第１屈曲部と、前記第１屈曲部の洋式便器後方側の左右両端部から外側前方に略Ｕ字状に折り返すようにして延設され且つ器具前後方向における長さＬ１が前記第１屈曲部の器具前後方向における長さＬ２より短く選定された第２屈曲部と、前記第２屈曲部の延設端から立ち上がる起立部とを有し、前記支柱部は、その下端部が前記起立部に支持されて床面に対し略垂直に立設されていることを特徴としている。
【００１０】
請求項３記載の発明は、請求項１記載の洋式便所内運動器具において、人がぶら下がることができるように器具上部に設けられた把持部と、前記把持部を支える左右一対の支柱部とを備え、前記床面設置部は、既設の洋式便器の床面据付部の少なくとも前縁部および側縁部を包囲するべく略Ｕ字状に屈曲し且つ後方に向かって幅が拡大している第１屈曲部と、前記第１屈曲部の洋式便器後方側の左右両端から内側前方且つ斜め上方に折り返すようにして延設された前傾部と、前記前傾部の上端部から立ち上がる起立部とを有し、前記支柱部は、その下端部が前記起立部に支持されており、前記支柱部の垂直中心軸線の床面との交点Ｐと前傾部の基点Ｑとの機具前後方向における長さＬ３は前記第１屈曲部の機具前後方向における長さＬ４より短く選定されていることを特徴としている。
【００１１】
【発明の実施の形態】
以下、本発明の実施の形態について図面を参照して詳細に説明する。
【００１２】
図１は本発明の第１の実施の形態を示す斜視図であり、本発明にかかる洋式便所内運動器具の一例であるぶら下がり健康器具を洋式便所内に設置した状態を示している。
【００１３】
このぶら下がり健康器具１は、器具全体が主としてスチール製のパイプ材にて構成され、床面設置部２と、この床面設置部２に下端部が保持されて床面に対し略垂直に保持された左右一対の支柱部３Ｌ、３Ｒと、支柱部３Ｌ、３Ｒの両上端部に掛け渡して設けられたぶら下がり用の把持部４とを有している。
【００１４】
床面設置部２は、既設の洋式便器５の床面据付部の少なくとも前縁部６Ｆおよび両側縁部６Ｌ、６Ｒを包囲するようにして略Ｕ字状に屈曲した第１屈曲部７と、第１屈曲部７の洋式便器５後方側の両端部から外側に且つ前方に略Ｕ字状に折り返すようにして延設された第２屈曲部８Ｌ、８Ｒ（不図示）と、第２屈曲部８Ｌ、８Ｒの洋式便器５前方側端部から略鉛直方向上方に延設された起立部９Ｌ、９Ｒとを有している。第２屈曲部８Ｌ、８Ｒの器具前後方向における長さＬ１は第１屈曲部７の器具前後方向における長さＬ２の１／２よりも短くなっている。この床面設置部２は、１本のパイプ材を曲げ加工することにより形成されたものである。
【００１５】
支柱部３Ｌ、３Ｒは、直管状の２本のパイプ材１０、１１を管継手１２内で当接させて連結してなる。管継手１２は、下側のパイプ材１１に予め固定して設けられており、管継手１２内に上側のパイプ材１０の下端部を挿入した状態で、管継手１２に設けられたねじ１３を締め付けることにより、上下のパイプ材１０、１１が互いに強固に連結固定されている。そして、支柱部３Ｌ、３Ｒは、下側のパイプ材１１の下端部が床面設置部２の起立部９Ｌ、９Ｒに挿入されて強固に嵌合固定されることにより、床面に対し略垂直に保持されている。
【００１６】
支柱部３Ｌ、３Ｒの下側のパイプ材１１には、取手部材１５が手前に突出させて設けられている。取手部材１５は、パイプ材１１に沿って移動可能な外装管１４に固定されている。外装管１４は、ねじ１６を締め付けることによりパイプ材１１に固定されており、ねじ１６を緩めて上下に移動させることにより、取手部材１５の高さを変更できるようになっている。
【００１７】
把持部４は、その両端部が同一方向にＬ字状に屈曲しており、両屈曲部先端が管継手１７によって支柱部３Ｌ、３Ｒの上側のパイプ材１０と連結されている。管継手１７は、両パイプ材１０の上端部に予め固定されており、管継手１７内に把持部４の屈曲部先端を限界まで挿入した状態で、管継手１７に設けられたねじ１８を締め付けることにより、把持部４と両パイプ材１０とが互いに強固に連結固定されている。この把持部４は、利用者が洋式便器５の便座に座ったまま、手を上げて掴むことができる高さに設けられている。
【００１８】
上記のように構成されたぶら下がり健康器具１は、器具全体が主としてパイプ材で構成されているので、器具全体の重量を軽くすることができ、設置や移動が容易である。利用者は洋式便器５の便座に座ったまま、あるいは半立ち状態でぶら下がり運動や懸垂運動を行ったり、便所内にスペースがあれば洋式便器５の前方へ健康器具１を引き出して、ぶら下がり運動や懸垂運動を行うこともできる。
【００１９】
また、このぶら下がり健康器具１は、その床面設置部２が、既設の洋式便器５の床面据付部の少なくとも前縁部６Ｆおよび両側縁部６Ｌ、６Ｒを包囲するようにして略Ｕ字状に屈曲した第１屈曲部７を有しているので、既設の洋式便器５周りの狭いスペースを利用して設置できる。床面設置部２が洋式便器５の便座の下方に収まっているので、洋式便器５で用を足す際に邪魔にならない。
【００２０】
また、床面設置部２が１本のパイプ材を曲げ加工することにより形成されたものであるため、特許文献３記載のものと比較して、荷重や揺動負荷等に対して構造的に安定である。床面設置部２は、さらに、第１屈曲部７の洋式便器５後方側の両端部から外側前方に略Ｕ字状に折り返すようにして延設された第２屈曲部８Ｌ、８Ｒを有しているので、単純な構造でありながら極めて安定性が高く、左右の方向への揺動負荷に対しても充分耐えうる構造になっている。したがって、器具１を使用してぶら下がり運動を行っている時においても高い安定性を保持できるので、ぶら下がり運動時における器具１の転倒を防止できる。
【００２１】
また、第２屈曲部８Ｌ、８Ｒの器具前後方向における長さＬ１が第１屈曲部７の器具前後方向における長さＬ２の１／２よりも短くなっているので、洋式便器５に着座して用を足す利用者の体に左右の支柱部３Ｌ、３Ｒが触れて邪魔にならないようにすると同時にぶら下がり運動時における器具１の高い安定性を確保できる。
【００２２】
また、左右の支柱部３Ｌ、３Ｒにはそれぞれ取手部材１５が設けられているので、両取手部材１５に両手を掛けて腕の筋肉などを強化する運動を行うことができるとともに、老人や体の不自由なひとが洋式便器５に着座したり起立したりする際の補助具としても使できる。また、お尻洗浄機能付き便座を備えた洋式便器の場合、まんべんなく正確にお尻の洗浄ができるように体を動かすための支えとしても利用できる。
【００２３】
また、両取手部材１５は、外装管１４を任意の位置にスライドさせてねじ１６を締めることにより任意の位置に固定できるので、この器具１を便座に座ったまま使用する者の座高や腕の長さに応じて高さを調節できる。
【００２４】
図２は本発明の第２の実施の形態を示す斜視図である。第１の実施の形態との相違点は、ぶら下がり用の把持部２０の構造のみである。この把持部２０は、支柱部３Ｌ、３Ｒに連結された左右の垂直部分２０Ｌ、２０Ｒを中間部から手前側に略直角に屈曲させることにより、支柱部３Ｌ、３Ｒよりも手前側に配置されている。このように、把持部２０を支柱部３Ｌ、３Ｒよりも手前側に配置することにより、洋式便器５の便座に座ったままの状態で把持部２０を掴んでぶら下がる動作などがし易くなるとともに、ぶら下がり運動時における器具の安定性も向上する。また、この器具をぶら下がり運動等に使用しないときは、一点鎖線で示すように把持部２０を逆向きに取り付けておけば、便所利用者の邪魔にならない。
【００２５】
図３は本発明の第３の実施の形態を示す斜視図である。第１の実施の形態との相違点は、ぶら下がり用の把持部３０の構造および連結部材３１が付加されている点である。把持部３０は、略Ｌ字状に屈曲した左右一対の部材３０Ｌ、３０Ｒからなり、それぞれが左右の支柱部３Ｌ、３Ｒの上端部に管継手１７を介して固定されている。連結部材３１は、機器後方に突出させて略コ字形に屈曲しており、その両端が管継手３２を介して支柱部３Ｌ、３Ｒに連結されている。連結部材３１は、管継手３２を任意の位置にスライドさせてねじ３３を締めることにより任意の位置に固定できるようになっている。したがって、水洗用タンク３４の位置に応じて高さを調節できる。
【００２６】
このように、把持部３０を左右一対の部材３０Ｌ、３０Ｒに分割した場合においても、連結部材３１によって左右の支柱部３Ｌ、３Ｒを連結したことにより、ぶら下がり運動時等における器具の高い安定性を確保できる。また、連結部材３１が機器後方に突出させて略コ字形に屈曲しているので、洋式便器５の便座に座った利用者の背中が連結部材３１に触れて邪魔になることはない。
【００２７】
また、この器具をぶら下がり運動等に使用しないときは、一点鎖線で示すように把持部３０を構成する部材３０Ｌ、３０Ｒを器具後方側に旋回させておけば、便所利用者の邪魔にならないようにすることができる。
【００２８】
図４は本発明の第４の実施の形態を示す斜視図である。第３の実施の形態との相違点は、床面設置部４０の構造である。この器具の床面設置部４０は、第１屈曲部４１の洋式便器後方側の両端部から内側前方且つ斜め上方に折り返すようにして延設された前傾部４２Ｌ、４２Ｒ（不図示）と、前傾部４２Ｌ、４２Ｒの上端部から略鉛直方向上方に延設された起立部４３Ｌ、４３Ｒとを有し、支柱部３Ｌ、３Ｒは、それぞれの下端部が起立部４３Ｌ、４３Ｒに連結されて起立姿勢を保っている。第１屈曲部４１は、後方に向かって幅が大きくなっている。
【００２９】
前傾部４２Ｌ、４２Ｒの器具前後方向における長さ、すなわち支柱部３Ｌ、３Ｒの垂直中心軸線の床面との交点Ｐと前傾部４２Ｌ、４２Ｒの基点Ｑとの機具前後方向における長さＬ３は、第１屈曲部７の器具前後方向における長さＬ４の１／２よりも短く設計されている。この床面設置部４０は、１本のパイプ材を曲げ加工することにより形成されたものである。
【００３０】
この器具も、床面設置部４０が１本のパイプ材を曲げ加工することにより形成されているため、特許文献３記載のものと比較して、荷重や揺動負荷等に対して構造的に安定である。床面設置部４０は、後方に向かって幅が大きくなっているので、単純な構造でありながら極めて安定性が高く、左右の方向への揺動負荷に対しても充分耐えうる構造になっている。したがって、この器具を使用してぶら下がり運動を行っている時においても高い安定性を保持できるので、ぶら下がり運動時における器具の転倒を防止できる。
【００３１】
また、前傾部４２Ｌ、４２Ｒの器具前後方向における長さＬ３が第１屈曲部７の器具前後方向における長さＬ４の１／２よりも短くなっているので、洋式便器５に着座して用を足す利用者の体に左右の支柱部３Ｌ、３Ｒが触れて邪魔にならないようにすると同時にぶら下がり運動時における器具の高い安定性を確保できる。
【００３２】
なお、上記の実施の形態では、支柱部３Ｌ、３Ｒを構成する直管状の２本のパイプ材１０、１１が管継手１２内で当接させて連結されているが、パイプ材１０、１１相互の径を異ならせて一方が他方に挿入される二重管構造とし、パイプ材１０、１１を相互に伸縮させてねじ１３で固定できるようにしておけば、利用者の身長や用途に応じてぶら下がり用の把持部４の高さを調節することができる。支柱部３Ｌ、３Ｒの長さを普及している一般的なぶら下がり健康器具のそれと同等に伸長できるように構成しておけば、このぶら下がり健康器具１を立った状態でのぶら下がり運動にも使用することができる。
【００３３】
また、第２屈曲部８Ｌ、８Ｒおよび前傾部４２Ｌ、４２Ｒの器具前後方向における長さＬ１、Ｌ２は、第１屈曲部７の器具前後方向における長さＬ２、Ｌ４よりも短かければよく、必ずしも１／２よりも短くする必要はない。ただし、器具の安定性と利便性を考慮するならば１／３〜１／４以下とすることが望ましい。
【００３４】
また、図４の例では、床面設置部４０の第１屈曲部４１がＶ字形に近い形状に描かれているが、図１〜図３と同様に略Ｕ字状としてもよいことは無論である。
【００３５】
また、図３および図４の例では、連結部材３１が略コ字形に形成されているが、その他の形状たとえば円弧状に形成してもよい。
【００３６】
また、上記実施の形態では、本発明の洋式便所内運動機器をぶら下がり健康器具に適用した場合を例にとり説明したが、その他の健康器具にも適用可能である。
【００３７】
【発明の効果】
以上説明したように、本発明の洋式便所内運動機器は、洋式便器周りの狭いスペースを利用して設置でき、且つ、荷重や揺動負荷等に対して安定な構造を有しているので、洋式便所内での運動器具として有効に利用できる。
【図面の簡単な説明】
【図１】本発明の第１の実施の形態を示す斜視図である。
【図２】本発明の第２の実施の形態を示す斜視図である。
【図３】本発明の第３の実施の形態を示す斜視図である。
【図４】本発明の第４の実施の形態を示す斜視図である。
【符号の説明】
１  ぶら下がり健康器具（洋式便所内運動器具）
２  床面設置部
３Ｌ、３Ｒ  支柱部
４  ぶら下がり用の把持部
５  洋式便器
６Ｆ  前縁部
６Ｌ、６Ｒ  側縁部
７  第１屈曲部
８Ｌ、８Ｒ  第２屈曲部
９Ｌ、９Ｒ  起立部
２０  ぶら下がり用の把持部
３０  ぶら下がり用の把持部
３１  連結部材
４０  床面設置部
４１  第１屈曲部
４２Ｌ、４２Ｒ  前傾部
【図１】
2005034332.tif 000003
【図２】
2005034332.tif 000004
【図３】
2005034332.tif 000005
【図４】
2005034332.tif 000006